(57)【要約】  破裂可能な製品容器（１０）は、選択的に押し合わせられた、第１の薄膜（１０Ｂ）及び向き合った第２の薄膜（１０Ｃ）によって形成されている。周縁シール（１０Ｓ）は容器の周縁に沿って延びている。製品チャンバ（１２Ｐ）及び膨張可能な破裂室（１２）は、周縁シール内の、選択的に押し合わされた向き合った薄膜の間に設けられている。製品（１６）は製品チャンバ内に収容されている。内部仕切（１４Ｄ）は製品チャンバと破裂室との間に延びている。内部仕切を貫通した引渡し通路（１４）は、長い膨張期間の間に製品チャンバに提供される適度な圧力に応答して破裂室の膨張を可能にする。破裂エッジ（１２Ｅ）は破裂室の周囲の周縁シールの一部を形成している。破裂エッジは、短い破裂期間の間に破裂室に提供される大きな圧力に応答して破裂エッジに沿って向き合った薄膜を分離させることによってエッジ破裂を提供する。向き合った剥離フラップ（１２Ｃ及び１２Ｂ）が、分離された向き合った薄膜によってエッジ破裂に沿って形成される。エンドユーザは、剥離フラップを引き離し、製品チャンバへのアクセスを可能にするために内部仕切の離反を生ぜしめる。
2009539704.tif 000002
【特許請求の範囲】
【請求項１】
容器において、
選択的に押し合わされた第１の薄膜及び向き合った第２の薄膜が設けられており、
選択的な押し合わせによって形成された容器の周囲の周縁シールが設けられており、
周縁シール内の、選択的に押し合わされた向き合った薄膜の間の製品チャンバが設けられており、
周縁シール内の、選択的に押し合わされた向き合った薄膜の間の膨張可能な破裂室が設けられており、
製品チャンバと破裂室との間に延びておりかつ選択的な押し合わせによって形成された内部仕切が設けられており、
長い膨張期間の間に製品チャンバに提供される適度な圧力に応答して破裂室の膨張を生ぜしめるための、内部仕切を貫通した引渡し通路が設けられており、
短い破裂期間の間に破裂室に提供される大きな圧力に応答して破裂エッジに沿って向き合った薄膜を分離させることによってエッジ破裂を提供するために、破裂室の周囲の周縁シールの一部を形成する破裂エッジが設けられていることを特徴とする、容器。
【請求項２】
分離された向き合った薄膜によって破裂エッジに沿って形成された向き合った剥離フラップが設けられており、該剥離フラップが、内部仕切の離反及び製品チャンバへのアクセスを可能にする、請求項１記載の容器。
【請求項３】
破裂室が、頂点及び２つの隣接する側部を備えた角隅を有しており、
破裂エッジが、頂点及び両方の隣接する側部に沿って延びており、
向き合った剥離フラップが、角隅において、向き合った薄膜によって形成されており、かつ概して三角形である、請求項２記載の容器。
【請求項４】
製品チャンバ及び破裂室が萎まされている、請求項１記載の容器。
【請求項５】
長い膨張期間の間に破裂室を膨張させるために引渡し通路を通って引き渡すための製品チャンバ内の膨張流体と、製品チャンバ内の製品とが設けられている、請求項１記載の容器。
【請求項６】
引渡し通路を通って破裂室に引き渡される前に膨張流体を保持するために、内部仕切に隣接した製品チャンバ内のヘッダ空間が設けられている、請求項５記載の容器。
【請求項７】
ヘッダ空間が、長い膨張期間の間に破裂室を膨張させるのに十分な膨張流体を保持している、請求項６記載の容器。
【請求項８】
製品が粒子状であり、膨張流体が、破裂室内へ引き渡されるためのヘッダ空間におけるヘッダ部分と、製品粒子の間の間隙部分とを有している、請求項６記載の容器。
【請求項９】
製品チャンバ及び破裂室が、
長い膨張期間及び短い破裂期間の間に、引渡し通路を通じて常に流体連通しており、
引渡し通路を通じて膨張流体が前方及び後方に引き渡されることによって維持される流体平衡の状態にあり、
部分的に膨張させられている、請求項５記載の容器。
【請求項１０】
引渡し通路が、短い破裂期間の間に提供される大きな圧力において膨張流体が破裂室から製品チャンバ内へ逆流するのを制限するように十分に狭い、請求項９記載の容器。
【請求項１１】
引渡し通路が、短い破裂期間の間に提供される大きな圧力において膨張流体が破裂室から製品チャンバ内へ逆流するのを制限するように十分に蛇行状である、請求項９記載の容器。
【請求項１２】
引渡し通路を介する膨張流体の引渡しを制御するための一方向引渡し弁が設けられており、
該引渡し弁が、引渡し通路を通じて製品チャンバから破裂室への膨張流体の前方引渡しを可能にするために、長い膨張期間の間開放し、
前記引渡し弁が、引渡し通路を通じて破裂室から製品チャンバへの膨張流体の後方引渡しを回避するために、短い破裂期間の間閉鎖される、請求項５記載の容器。
【請求項１３】
破裂室から製品チャンバへの膨張流体の僅かな漏れ逆流を可能にするための、破裂室から製品チャンバまでの圧力ブリードオフ経路が設けられている、請求項１２記載の容器。
【請求項１４】
引渡し弁が、引渡し通路の破裂室側に位置決めされたフラッパ弁であり、
該フラッパ弁が、製品チャンバ内の圧力が破裂室内の圧力よりも大きい場合に開放し、
前記フラッパ弁が、製品チャンバ内の圧力が破裂室内の圧力よりも小さい場合に閉鎖する、請求項１２記載の容器。
【請求項１５】
引渡し弁が弾性的な弁であり、該弾性的な弁が、該弾性的な弁を閉鎖させてよく内部弾性を有しており、
前記弾性的な弁が、製品チャンバ内の圧力が、破裂室内の圧力と、内部弾性との合計を克服するように十分である場合に開放し、
前記弾性的な弁が、製品チャンバ内の圧力が、破裂室内の圧力と、内部弾性との合計を克服するのに不十分である場合に閉鎖する、請求項１２記載の容器。
【請求項１６】
膨張流体及び製品を製品チャンバ内に受け入れるために、製品チャンバの周囲の周縁シールを貫通した受入口が設けられている、請求項１記載の容器。
【請求項１７】
製品チャンバ及び破裂室内の膨張流体が設けられており、
製品チャンバ内の製品が設けられており、
受入口に沿った周縁シールが設けられている、請求項１６記載の容器。
【請求項１８】
向き合った薄膜によって形成された、製品チャンバと、破裂室と、製品チャンバと破裂室との間の内部仕切とを有する容器内の製品へのアクセスを得る方法において、
長い膨張期間の間に製品チャンバに適度な外部圧力を提供するステップと、
内部仕切に設けられた引渡し通路を通じて製品チャンバから破裂室へ膨張流体を引き渡すことによって破裂室を膨張させるステップと、
短い破裂期間の間に破裂室に大きな圧力を提供するステップと、
破裂室を形成する向き合った薄膜を分離することによって破裂室を破裂させるステップとを含むことを特徴とする、容器内の製品へのアクセスを得る方法。
【請求項１９】
破裂ステップの間に剥離フラップを形成するステップと、
製品チャンバと破裂室との間の内部仕切を解離させるために剥離フラップを引き離すステップとを含む、請求項１８記載の方法。
【発明の詳細な説明】
【技術分野】
【０００１】
本願は、２００７年４月１１日に出願された仮出願連続番号第６０／７９０８６３号明細書の利益を請求する。
【０００２】
技術分野
本発明は、破裂可能な製品容器、特に、開放の直前にユーザによって膨張させられるこのような容器に関する。
【０００３】
背景
本発明者に２００４年４月２７日に発行された米国特許第６７２６３６４号明細書は、破裂エッジに沿った向き合った剥離フラップを備えた破裂室を開示している。剥離フラップは、チャンバを開放し、貯蔵された製品を提供するために消費者によって引き戻される。しかしながら、この従来の室は、ユーザによって膨張させられない。米国特許第６７２６３６４号明細書の内容は、引用したことにより全体がこの開示に記載されたものとする。
【０００４】
Farmerに発行された米国特許第４８７２５５６号明細書は、貯蔵された液体又は流体製品の排出を制御するための２つの破断シールを備えた容器を開示している。製品は、大きな貯蔵チャンバに収容されており、より小さな、隣接する排出チャンバを通って排出される。貯蔵チャンバ内の製品に提供される圧力は、２つのチャンバの間の内部貯蔵シールを破断させ、貯蔵チャンバから排出チャンバへの流体流れを生ぜしめる。貯蔵チャンバ流体への継続された圧力は、外部排出シールを破断させ、流体を排出チャンバから大気中へ排出させる。大きな消費者圧力は、貯蔵シール及び排出シールを破断させるために必要とされた。Farmerは、貯蔵チャンバから排出チャンバへの、貯蔵シールを貫通した通路を提供していない。
【０００５】
概要
したがって、本発明の目的は、貯蔵され、運搬され、取り扱われ、部分的又は完全に萎まされた破裂可能な容器を提供することである。萎まされた製品チャンバ及び破裂室を備えた容器は、最小限の貯蔵容器及び運搬容積を必要とし、偶発的な"ポッページ"による最小限の損失を被る。完全に膨張させられた容器は別の容器の重量又は"粗雑な"取扱いに曝される。交易中のポッページ又は破裂は製品を大気に曝す。
【０００６】
本発明の別の目的は、破裂室が、開放の直前にエンドユーザによって破裂条件に膨張させられるこのような容器を提供することである。ユーザは製品チャンバを押圧し、これにより、膨張流体を引渡し通路を通じて破裂室内へ引き渡す。破裂室は破裂条件に膨張する。破裂室は、鋭く提供されたユーザ圧力によってエッジ破裂されるように、十分に膨らまされる。
【０００７】
本発明の別の目的は、製品チャンバ及び破裂室が貯蔵及び運搬の間流体平衡しているこのような容器を提供することである。膨張流体は、破裂室と製品チャンバとの間を自由に往来することができる。
【０００８】
本発明の別の目的は、膨張流体の流れが制御されるこのような容器を提供することである。引渡し通路における一方向弁は逆流を阻止する。貯蔵及び運搬の間、順流のみが許容される。
【０００９】
簡単に言えば、本発明のこれら目的及びその他の目的は、選択的に押し合わせられた第１の薄膜及び向き合った第２の薄膜を提供することによって達成される。容器の周囲の周縁シールは、選択的な押圧によって形成されている。製品チャンバ及び膨張可能な破裂室は、周縁シール内に、選択的に押圧された向き合った薄膜の間に設けられている。内部仕切は、製品チャンバと破裂室との間に延びており、選択的な押圧によって形成されている。内部仕切を貫通した引渡し通路は、長い膨張期間の間に製品チャンバに提供される適度な圧力に応答して破裂室の膨張を可能にする。破裂エッジは、破裂室の周囲の周縁シールの一部を形成している。破裂エッジは、短い破裂期間の間に破裂室に提供される大きな圧力に応答して、破裂エッジに沿って向き合った薄膜を分離させることによってエッジ破裂を提供する。
【００１０】
図面の簡単な説明
ユーザによって膨張させられる破裂室及び引渡し通路の操作の別の目的及び利点は、以下の詳細な説明及び図面（実寸で描かれていない）及びフローチャートから明らかになるであろう。
【００１１】
図１Ａは、製品チャンバ１２Ｐと、破裂室１２と、製品チャンバと破裂室との間の引渡し通路１４とを示す破裂可能な製品容器１０の平面図である。
【００１２】
図１Ｂは、膨張の前（細い線）及び膨張の間（太い線）における、製品チャンバ１２Ｐ及び破裂室１２を示す図１Ａの容器１０の側面図である。
【００１３】
図１Ｃは、引渡し通路１４を示す、概して基準線ＩＣ−ＩＣに沿って見た図１の容器１０の断面における端面図である。
【００１４】
図１Ｄは、貯蔵、膨張、破裂、及び開放連続のアクセス期間の間における、破裂室１２内の圧力を示すグラフである。
【００１５】
図１Ｅは、破裂期間の間の図１Ａの容器１０の側面図である。
【００１６】
図１Ｆは、向き合った剥離フラップ１２Ｃ及び１２Ｂを示すアクセス期間の間の図１Ａの容器１０の側面図である。
【００１７】
図２は、製品チャンバ２２Ｐと、破裂室２２と、引渡し通路２４とを示す、破裂可能な製品容器２０の平面図である。
【００１８】
図３Ａは、蛇行状の引渡し通路３４を示す、破裂可能な製品容器３０の平面図である。
【００１９】
図３Ｂは、萎んだ条件における容器を示す、図３Ａの容器３０の側面図である。
【００２０】
図４Ａは、引渡し通路４４を通る逆流を阻止する閉鎖されたフラッパ弁４４Ｖを示す、破裂可能な製品容器４０の平面図である。
【００２１】
図４Ｂは、引渡し通路４４を通る順流を許容する開放したフラッパ弁４４Ｖを示す、図４Ａの容器４０の側面図である。
【００２２】
図５Ａは、引渡し通路５４を通る逆流を阻止する閉鎖された弾性的な弁５４Ｖを示す、破裂可能な製品容器５０の平面図である。
【００２３】
図５Ｂは、引渡し通路５４を通る順流を許容する開放した弾性的な弁５４Ｖを示す、図５Ａの容器５０の側面図である。
【００２４】
図６は、容器内の製品へのアクセスを得る概略的な方法の基本的なステップを示すフローチャートである。
【００２５】
上記図面における各参照符号の最初の数字は、そのエレメント又は特徴が最も顕著に示されている図面を表している。二番目の数字は、関連するエレメント又は特徴を表し、最後の文字（使用されている場合）は、エレメント又は特徴の構成部分を示している。
【００２６】
図面における参照符号は
以下の表は、図面において使用されている参照符号を列挙しており、各数字によって指定されたエレメントを明示している。
破裂可能な製品容器  １０
第１の薄膜  １０Ｂ
第２の薄膜  １０Ｃ
周縁シール  １０Ｓ
破裂室  １２
角隅の頂点  １２Ａ
向き合った剥離フラップ  １２Ｂ
向き合った剥離フラップ  １２Ｃ
破裂エッジ  １２Ｅ
製品チャンバ  １２Ｐ
角隅の側部  １２Ｓ
引渡し通路  １４
分割部  １４Ｄ
製品  １６
膨張流体  １８
破裂可能な製品容器  ２０
破裂室  ２２
ヘッダ空間  ２２Ｈ
製品チャンバ  ２２Ｐ
引渡し通路  ２４
粒子状製品  ２６
膨張流体  ２８
ヘッダ部分  ２８Ｈ
間隙部分  ２８Ｉ
破裂可能な製品容器  ３０
受入口  ３０Ｐ
周縁シール  ３０Ｓ
製品チャンバ  ３２Ｐ
引渡し通路  ３４
製品  ３６
膨張流体  ３８
破裂可能な製品容器  ４０
破裂室  ４２
製品チャンバ  ４２Ｐ
引渡し通路  ４４
解放経路  ４４Ｒ
フラッパ弁  ４４Ｖ
破裂可能な製品容器  ５０
破裂室  ５２
製品チャンバ  ５２Ｐ
引渡し通路  ５４
内部仕切  ５４Ｄ
解放経路  ５４Ｒ
弾性的な弁  ５４Ｖ
【００２７】
一般的な実施形態（図１ＡＢＣＤＥＦ）
破裂可能な製品容器１０は、選択的に押し合わせられた第１の薄膜１０Ｂ及び向き合った第２の薄膜１０Ｃによって形成されている（図１Ｂ参照）。周縁シール１０Ｓ（図１Ａに太い実線によって示されている）は、容器の周囲に沿って延びており、選択的な押し付けによって形成されている。製品チャンバ１２Ｐ及び膨張可能な破裂室１２は、周囲シール内に、選択的に押し付けられた向き合った薄膜の間に設けられている。製品１６は製品チャンバ内に収容されている。内部仕切１４Ｄ（１つの平行線によって示されている）は、製品チャンバと破裂室との間に延びており、選択的な押付けによって形成されている。内部仕切を貫通した引渡し通路１４（広い太線によって示されている）は、長い膨張期間の間に製品チャンバに提供される適度な圧力に応答して破裂室の膨張を可能にする。破裂エッジ１２Ｅ（二重平行線によって示されている）は、破裂室の周囲の周縁シールの一部を形成している。破裂エッジは、短い破裂期間の間に破裂室に提供される大きな圧力に応答して、破裂エッジに沿って向き合った薄膜を分離させることによって、エッジ破裂を提供する。
【００２８】
向き合った剥離フラップ１２Ｃ及び１２Ｂ（図１Ｆ参照）は、分離された向き合った薄膜によってエッジ破裂部に沿って形成されている。エンドユーザは、剥離フラップを引き離し、製品チャンバへのアクセスを可能にするために内部仕切の解離を生ぜしめる。破裂室１２は、角隅頂点１２Ａと２つの隣接する角隅側部１２Ｓとを備えた角隅を有している（図１Ａ参照）。破裂エッジ１２Ｅは、分離の焦点である頂点において出発し、両方の隣接する側部に沿って延びている。向き合った剥離フラップは、角隅において向き合った薄膜によって形成されており、エンドユーザによって容易に掴まれるように概して三角形である。製品チャンバ内の膨張流体１８は、長い膨張期間の間に破裂室を膨張させるために引渡し通路を通って引き渡される。膨張流体は通常の周囲空気であるか、又は乾燥空気等の適切な特別な目的の流体であるか、又は窒素等の不活性ガスである。
【００２９】
向き合った薄膜は、防水性、紫外線保護、増大されたバルク、及び強度等の特性を提供するための複数の層を有していることができる。向き合った薄膜は、プラスチック、紙、織物、セロファン又は生分解性物質等のあらゆる適切な包囲材料であることができる。薄いマイラープラスチックは、密封特性を備えたフレキシブルな膜であり、容器材料として使用されることができる。容器の周縁は、製品アクセスのための破裂エッジに沿った破裂シールと、残りの周縁部に沿った非破裂シールとを有している。破裂シールは、もろい薄膜結合であることができ、非破裂シールは、破壊的薄膜結合であることができる。もろい破裂シールは、破壊的非破裂シールよりも短い時間だけより低い薄膜対薄膜圧力及びより低い温度で形成される。もろいシールは破壊的シールよりも弱く、より低い分離力で破裂し、破裂期間の間にエンドユーザによって提供されるより小さな圧縮圧力を必要とする。
【００３０】
通常の開放順序（図１Ｄ）
開放順序のそれぞれの期間の間の破裂室内の圧力が図１Ｄにグラフによって示されている。不確定な貯蔵期間（倉庫に保管すること、搬送、及び棚にディスプレイすること）の間、破裂室は通常、ほとんど又は全く圧力を生じない。貯蔵の間、製品チャンバ及び破裂室は、部分的に膨張させられかつ弛緩しているか（図１Ｂにおける細い線）、又は完全に萎ませられ平らに押しつぶされている（図３Ｂ参照）。長い膨張期間の間、エンドユーザは製品チャンバに適度な圧力を提供する（図１Ｂに符号Ｉｐが付された向き合った矢印によって示されている）。圧力は、製品チャンバの範囲を制限し、製品チャンバを膨張させ、緊張させる（図１Ｂの太線参照）。膨張流体は、緊張した製品チャンバから、引渡し通路を通って破裂室内へ押し出される。膨張期間の間、破裂室内の圧力は増大し、破裂室をも膨張させる。
【００３１】
短い破裂期間の間に、エンドユーザは、破裂室に大きな圧力を鋭く提供する（図１Ｅに向き合った矢印Ｂｐによって示されている）。破裂室における圧力は、破裂レベルにまで増大し、向き合った薄膜を破裂エッジに沿って分離させる。膨張室は大気へ破裂し、エッジ破裂を形成する。アクセス期間の間、破裂室は、中立圧力において大気に曝される。膨張流体は失われ、容器は弛緩する。膨張期間は短時間だけ継続すべきであり、短い破裂期間は、さらに短い、おそらく１秒未満である。製品容器を開放するための方法ステップは図６に関連して説明される。
【００３２】
平衡実施形態（図２及び図３Ａ，Ｂ）
平衡実施形態における引渡し通路は、自由に流れる膨張流体を備えた開放チャネルである。製品チャンバと破裂室とは、不確定な貯蔵期間及び長い膨張期間及び短い破裂期間の間、引渡し通路を介して流体連通している。製品チャンバ及び破裂室における膨張流体は、妨害されていない引渡し通路を通じて膨張流体が往来することによって維持される流体平衡の状態にある。図２の平衡実施形態において、開放チャネル引渡し通路２４は、短い破裂期間の間に提供される大きな圧力の下で破裂室２２から製品チャンバ２２Ｐへの膨張流体２８の逆流を制限するために十分に狭い。
【００３３】
長い膨張期間の間、適度なユーザ圧力は、ゆっくりとした前方への膨張引渡しを生ぜしめる。短い破裂期間の間、大きなユーザ圧力は、より高い後方への漏れ引渡しを生ぜしめる。後方引渡し流量（図１Ｅに矢印Ｆｂによって示されている）は、前方引渡し流量（図１Ｂに矢印Ｆｆによって示されている）よりも大きい。なぜならば、大きな破裂圧力が、適度な膨張圧力よりも大きいからである。しかしながら、後方への逆流の合計容積（容積Ｂ＝Ｆｂ×短い時間）は、前方への順流の容積（容積Ｆ＝Ｆｆ×長い時間）よりも著しく小さい。なぜならば、短い破裂期間が、長い膨張期間よりも著しく短いからである。
【００３４】
製品チャンバは、内部仕切に隣接したヘッダ空間を有しており、このヘッダ空間は、引渡し通路を通って破裂室へ引き渡す前に膨張流体を保持する。好適には、ヘッダ空間は、長い膨張期間の間に破裂室を膨張させるために十分な膨張流体を保持している。製品は、粒子形状であり、膨張流体が製品粒子の間の空間を充填している。粒子重力が運搬及び取扱いによってよりコンパクトなフォーマットに固まるので、ヘッダ空間は拡大する。図２の実施形態において、膨張流体２８は、破裂室内への引渡しのためにヘッダ空間２２Ｈに能動ヘッダ部分２８Ｈを有している。膨張流体は、製品粒子２６の間に分配された受動間隙部分２８Ｉをも有している。
【００３５】
図３Ａの実施形態において、開放チャネル引渡し通路３４は、短い破裂期間の間に膨張流体３８の逆流を制限するために曲線を備えた十分に蛇行状である。製品チャンバ３２Ｐの周囲の周縁シール３０Ｓを貫通した受入口３０Ｐは、製品チャンバ内に膨張流体３８及び製品３６を受け入れる。受入れの前に、空の萎んだ主要容器は、容易に運搬されかつ取り扱われる。周縁シールは、製品チャンバ及び破裂室内に膨張流体を受け入れかつ製品チャンバ内に製品を受け入れた後、受入口に沿って押し付けられる。
【００３６】
制御された流れの実施形態（図４Ａ，Ｂ及び図５Ａ，Ｂ）
制御された流れの実施形態における引渡し通路は、膨張流体の流れを制御するための一方向弁を有している。製品チャンバ及び破裂室は、長い膨張期間の間に一方向弁が開放している時、引渡し通路を介して流体連通する。流体連通は、短い破裂期間の間に弁が閉鎖されている時は遮断される。図４の実施形態において、引渡し弁４４Ｖは、引渡し通路４４の破裂室側に位置決めされたフラッパ弁である。フラッパ弁は、製品チャンバ４２Ｐ内の圧力が破裂室４２内の圧力よりも大きい時に開放する（図４Ｂ参照）。フラッパ弁は、製品チャンバ内の圧力が破裂室内の圧力よりも小さい時に閉鎖される（図４Ａ参照）。閉鎖された弁は、破裂期間の間、漏れ逆流を低減する。したがって、引渡し通路は、破裂期間の間に破裂圧力の過度の損失なしに、より広くてもよい。
【００３７】
図５Ａ及び図５Ｂの実施形態において、引渡し弁５４Ｖは弾性的な弁であり、この弾性的な弁は、弾性的な弁を閉鎖させようとする内部弾性を有する。弾性的な弁は、製品チャンバ５２Ｐ内の圧力が、破裂室５２内の圧力と、内部弾性との合計を克服するのに十分である場合に開放する。弾性的な弁は、製品チャンバ内の圧力が、破裂室内の圧力と、内部弾性との合計を克服するのに不十分である場合に閉鎖される（図５Ａ参照）。弾性は、膨張期間の最後に自己閉鎖する。
【００３８】
一方向弁は、破裂室からの逆流及び圧力解放を完全に阻止する。その結果、破裂室内の圧力が単調に上昇する。圧力ブリードオフ又は解放経路４４Ｒ（図４Ａ参照）及び５４Ｒ（図５Ａ参照）は、破裂室と製品チャンバとの間に延びている。解放経路４４Ｒは、フラッパ弁を通って延びており、解放経路５４Ｒは、内部仕切５４Ｄを通って延びている。これらの微細な解放経路は、破裂室から製品チャンバへの膨張流体の僅かな漏れ逆流を可能にする。
【００３９】
方法（図６）
容器内の製品へのアクセスを得る一般的な方法のステップは、図６のフローチャートに示されており、以下に説明される。上の操作方法を実施するために必要とされる装置は、図１〜図５及び関連する詳細な説明に開示されている。容器は、製品チャンバと、破裂室と、製品チャンバと破裂室との間の内部仕切とを有しており、向き合った薄膜によって形成されている。
【００４０】
長い膨張期間の間に、製品チャンバに適度な外部圧力を提供する（図１B参照）。
【００４１】
内部仕切に設けられた引渡し通路を介して製品チャンバから破裂室内へ膨張流体を引き渡すことによって破裂室を膨張させる（図１B参照）。
【００４２】
短い破裂期間の間に、破裂室に大きな圧力を提供する（図１Ｅ参照）。
【００４３】
破裂室を形成した向き合った薄膜を分離させることによって破裂室を破裂させる（図１Ｆ参照）。
【００４４】
破裂ステップの間に、剥離フラップを形成する。
【００４５】
製品チャンバと破裂室との間の内部仕切を解離させるために、剥離フラップを引き離す。
【００４６】
産業上の用途
本発明の目的はこれまで説明してきたように、部分的に又は完全に萎まされた容器を提供することによって達成されたことが当業者に明らかになるであろう。萎まされた容器は、より小さな容積を必要とし、より少ない偶発的な"ポッページ（poppage）"を必要とする。萎まされた破裂室は、製品チャンバにおいて押圧することによってエンドユーザによって破裂条件に膨張させられる。製品チャンバ及び破裂室は、引渡し通路を介して流体平衡している。択一的に、膨張流体の流れは、引渡し通路における一方向弁によって制御される。
【００４７】
様々な変更が、発明の概念から逸脱することなく、ここに示された構造及び実施形態においてなされることができる。さらに、様々な図に示された実施形態の特徴は、別の図に示された実施形態と組み合わせて使用されることができる。したがって、発明の範囲は、以下の請求項の言葉及び法律的均等物によって決定される。
【図面の簡単な説明】
【００４８】
【図１Ａ】図１Ａは、製品チャンバ１２Ｐと、破裂室１２と、製品チャンバと破裂室との間の引渡し通路１４とを示す破裂可能な製品容器１０の平面図である。
【図１Ｂ】膨張の前（細い線）及び膨張の間（太い線）における、製品チャンバ１２Ｐ及び破裂室１２を示す図１Ａの容器１０の側面図である。
【図１Ｃ】引渡し通路１４を示す、概して基準線ＩＣ−ＩＣに沿って見た図１の容器１０の断面における端面図である。
【図１Ｄ】貯蔵、膨張、破裂、及び開放連続のアクセス期間の間における、破裂室１２内の圧力を示すグラフである。
【図１Ｅ】破裂期間の間の図１Ａの容器１０の側面図である。
【図１Ｆ】向き合った剥離フラップ１２Ｃ及び１２Ｂを示すアクセス期間の間の図１Ａの容器１０の側面図である。
【図２】製品チャンバ２２Ｐと、破裂室２２と、引渡し通路２４とを示す、破裂可能な製品容器２０の平面図である。
【図３Ａ】蛇行状の引渡し通路３４を示す、破裂可能な製品容器３０の平面図である。
【図３Ｂ】萎んだ条件における容器を示す、図３Ａの容器３０の側面図である。
【図４Ａ】引渡し通路４４を通る逆流を阻止する閉鎖されたフラッパ弁４４Ｖを示す、破裂可能な製品容器４０の平面図である。
【図４Ｂ】引渡し通路４４を通る順流を許容する開放したフラッパ弁４４Ｖを示す、図４Ａの容器４０の側面図である。
【図５Ａ】引渡し通路５４を通る逆流を阻止する閉鎖された弾性的な弁５４Ｖを示す、破裂可能な製品容器５０の平面図である。
【図５Ｂ】引渡し通路５４を通る順流を許容する開放した弾性的な弁５４Ｖを示す、図５Ａの容器５０の側面図である。
【図６】容器内の製品へのアクセスを得る概略的な方法の基本的なステップを示すフローチャートである。
【符号の説明】
【００４９】
１０  破裂可能な製品容器、  １０Ｂ  第１の薄膜、  １０Ｃ  第２の薄膜、  １０Ｓ  周縁シール、  １２  破裂室、  １２Ａ  角隅の頂点、  １２Ｂ  向き合った剥離フラップ、  １２Ｃ  向き合った剥離フラップ、  １２Ｅ  破裂エッジ、  １２Ｐ  製品チャンバ、  １２Ｓ  角隅の側部、  １４  引渡し通路、  １４Ｄ  分割部、  １６  製品、  １８  膨張流体、  ２０  破裂可能な製品容器、  ２２  破裂室、  ２２Ｈ  ヘッダ空間、  ２２Ｐ  製品チャンバ、  ２４  引渡し通路、  ２６  粒子状製品、  ２８  膨張流体、  ２８Ｈ  ヘッダ部分、  ２８Ｉ  間隙部分、  ３０  破裂可能な製品容器、  ３０Ｐ  受入口、  ３０Ｓ  周縁シール、  ３２Ｐ  製品チャンバ、  ３４  引渡し通路、  ３６  製品、  ３８  膨張流体、  ４０  破裂可能な製品容器、  ４２  破裂室、  ４２Ｐ  製品チャンバ、  ４４  引渡し通路、  ４４Ｒ  解放経路、  ４４Ｖ  フラッパ弁、  ５０  破裂可能な製品容器、  ５２  破裂室、  ５２Ｐ  製品チャンバ、  ５４  引渡し通路、  ５４Ｄ  内部仕切、  ５４Ｒ  解放経路、  ５４Ｖ  弾性的な弁
【図１Ａ】
2009539704.tif 000003
【図１Ｂ】
2009539704.tif 000004
【図１Ｃ】
2009539704.tif 000005
【図１Ｄ】
2009539704.tif 000006
【図１Ｅ】
2009539704.tif 000007
【図１Ｆ】
2009539704.tif 000008
【図２】
2009539704.tif 000009
【図３Ａ】
2009539704.tif 000010
【図３Ｂ】
2009539704.tif 000011
【図４Ａ】
2009539704.tif 000012
【図４Ｂ】
2009539704.tif 000013
【図５Ａ】
2009539704.tif 000014
【図５Ｂ】
2009539704.tif 000015
【図６】
2009539704.tif 000016
【国際調査報告】
2009539704.tif 000017
2009539704.tif 000018